(57)【要約】【課題】デバイスと電源回路の両方を制御し、起動停止にバラツキ、デバイスの状態の影響を受けない電源シーケンスを提供し、デバイスの信頼性向上を図る。【解決手段】電源シーケンスを必要とするデバイス１０、デバイス１０に電源供給のための電源回路３０、起動／停止の制御を行なう起動／停止制御回路２０、起動／停止制御回路２０から制御信号受けて出力電圧の調整を行なう調整回路５０を含み、起動／停止制御回路２０で、デバイス１０と電源回路３０を制御し、起動シーケンスと停止シーケンスを実現する。【選択図】図４
2013128338.tif 000002
【特許請求の範囲】
【請求項１】
電源回路のフィードバック入力に接続され、前記電源回路の出力を制御する電源回路制御装置であって、
前記電源回路を停止するとき、前記フィードバック入力への出力電圧を増加させ、前記電源回路の出力電圧を低下させたあとで、前記電話回路の出力を停止することを特徴とする電源回路制御装置。
【請求項２】
請求項１に記載の電源回路制御装置であって、
第１の電源回路と第２の電源回路とに接続され、前記第１の電源回路と前記第２の電源回路との起動の順序を制御することを特徴とする電源回路制御装置。
【請求項３】
請求項１に記載の電源回路制御装置であって、
第１の電源回路と第２の電源回路とに接続され、前記第１の電源回路と前記第２の電源回路との停止の順序を制御することを特徴とする電源回路制御装置。
【請求項４】
請求項１に記載の電源回路制御装置であって、
調整回路と、制御回路とから構成され、
前記調整回路は、前記電源回路を停止するとき、前記フィードバック入力への出力電圧を増加させ、
前記制御回路は、前記電源回路の出力電圧を低下させたあとで、前記電話回路の出力を停止することを特徴とする電源回路制御装置。
【請求項５】
電源回路の出力電圧を監視するステップと、
前記電源回路のフィードバック入力電圧を増加させるステップと、
前記出力電圧が予め定めた電圧未満であることを確認するステップと、
前記電源回路を停止するステップと、から構成される電源回路の停止方法。
【発明の詳細な説明】
【技術分野】
【０００１】
本発明は、電源回路制御装置および電源回路の停止方法に係り、特に、電源を供給されるデバイスが電源シーケンスを要求するデバイス対して、電源停止シーケンスを提供する電源回路制御装置および電源回路の停止方法に関する。
【背景技術】
【０００２】
デバイスへ電源供給するにあたり、負荷側デバイスの要求において供給電圧の起動、停止の順序を規定する電源シーケンス規定が、近年増加してきた。この要求を実現する手段として、特許文献１がある。特許文献１には、停止時の電圧制御が必要となる場合に停止する順番を制御する回路と、停止する時間（電圧降下時間）を制御する回路とを有する複数の電源で構成される電子装置において、要求される停止時の電圧制御を行なえるようにすることが記載されている。
また、特許文献２には、電源起動回路の起動停止順序を柔軟に制御できる起動停止順序制御装置を提供することが記載されている。
【先行技術文献】
【特許文献】
【０００３】
【特許文献１】特開２０１０−２２６８６３号公報
【特許文献２】特開２００５−２５３１２４号公報
【発明の概要】
【発明が解決しようとする課題】
【０００４】
デバイスが要求する電源シーケンスは、デバイス内部の寄生ダイオードに逆電流が流れる等のデバイス保護の目的により規定されている。この規定に違反するとデバイスにダメージを与える。一度で壊れる場合もあるが、ダメージの蓄積によりデバイスの破壊を招く場合もあり、製品の長期信頼性が損なわれる虞がある。
【０００５】
よって、電源シーケンスを守り、デバイスの破壊、ダメージを防止し、製品の信頼性を確保する必要がある。電源シーケンスは、電源回路が複数個連携して、デバイスが要求している順序で供給電圧を起動／停止させる電源シーケンスを構成する。
【０００６】
起動時は、各電源回路で予め設定した順序で起動信号を制御し起動シーケンスを実現する。停止時は、起動時と同じく予め設定した順序で停止信号を制御し停止シーケンスを実現する。
【０００７】
停止制御を行なうとき、電源回路を止めて、最初はデバイスの負荷により放電される。しかし、電源回路とデバイスが完全停止した後は、ハイインピーダンスとなり、電源回路とデバイス間に搭載されたコンデンサは、完全に放電されず残留電荷が存在する場合がある。このため、停止における電圧の逆転、起動時における残留電荷の影響を取り除くために、放電回路にて放電を行ない停止している。
【０００８】
しかし、停止シーケンスにおいて、最初、デバイスの負荷状態について把握せずに電源の停止制御をおこなうと、電源回路を停止しても、最初の出力電圧の低下はデバイスの動特性、放電回路の時定数に依存する。電圧低下時間もデバイスの状態により違うため、部品定数のバラツキやデバイス条件の変更の影響を受けて停止時間のバラツキが発生する。最悪バラツキが大きい場合シーケンスが逆転し、内部ダイオードに逆電流が流れる可能性があり、デバイスへのダメージを与える。
【０００９】
本発明は、デバイスと電流ソース・シンク可能な電源回路、デバイスと電源回路の状態を監視制御する回路を用いて電源シーケンスを制御し、バラツキ、デバイス条件の変更の影響を受けない電源シーケンスを提供する。
【課題を解決するための手段】
【００１０】
上述した課題は、電源回路のフィードバック入力に接続され、電源回路の出力を制御する電源回路制御装置であって、電源回路を停止するとき、フィードバック入力への出力電圧を増加させ、電源回路の出力電圧を低下させたあとで、電話回路の出力を停止する電源回路制御装置により、解決できる。
【００１１】
また、電源回路の出力電圧を監視するステップと、電源回路のフィードバック入力電圧を増加させるステップと、出力電圧が予め定めた電圧未満であることを確認するステップと、電源回路を停止するステップと、から構成される電源回路の停止方法により、達成できる。
【発明の効果】
【００１２】
本発明によれば、起動停止シーケンスを実現させ、デバイスの不定な負荷状態、部品バラツキによる停止時間への影響を受けることなく、起動／停止の電源シーケンスを守ることができるため、デバイス（負荷）へのダメージを防止できる。
【図面の簡単な説明】
【００１３】
【図１】電源供給系統のブロック図である。
【図２】電源シーケンスの起動処理を説明するフローチャートである。
【図３】電源シーケンスの停止処理を説明するフローチャートである。
【図４】他の電源供給系統のブロック図である。
【図５】起動時の波形図である。
【図６】起動異常時の波形図である。
【図７】停止処理時の波形図である。
【図８】さらに他の電源供給系統のブロック図である。
【発明を実施するための形態】
【００１４】
以下、本発明の実施の形態について、実施例を用い図面を参照しながら詳細に説明する。なお、実質同一部位には同じ参照番号を振り、説明は繰り返さない。
【実施例１】
【００１５】
本実施例では、電源シーケンス制御の基本的な動作を説明する。まず、図１を参照して、電源供給系統１００を説明する。電源供給系統１００は、電源シーケンスを必要とするデバイス１０と、デバイス１０に電源供給用の電流ソース・シンク可能な電源回路３０と、起動／停止の制御を行なう起動／停止制御回路２０と、起動／停止制御回路２０から制御信号受けて出力電圧の調整を行なう調整回路５０とで構成されている。電源回路３０と調整回路５０とは、Ａ、Ｂで区別する２回路である。なお、電源回路３０−Ａを電源回路Ａと記載することがある。調整回路５０も同様である。
【００１６】
電源回路３０は、起動／停止ポート、ＯＵＴＰＵＴポート、Ｆｅｅｄ Ｂａｃｋポートを有する。デバイス１０は、負荷回路１１−Ａ、負荷回路１１−Ｂ、デバイス停止制御ポート、電源停止信号ポートを備える。起動／停止制御回路２０は、電圧監視回路２１−Ａ、電圧監視回路２１−Ｂ、電源停止制御ポート、電圧制御信号ポートを備える。
【００１７】
停止信号は、デバイス１０のデバイス停止制御ポートに入力される。デバイス１０の電源停止信号ポートは、起動／停止制御回路２０の電源停止制御ポートに接続されている。起動／停止制御回路２０の電圧監視回路２１の出力は、電源回路３０の起動／停止ポートに接続されている。電源回路５０のＯＵＴＰＵＴポートから出力される電圧出力は、デバイス１０の負荷回路１１と、起動／停止制御回路２０の電圧監視回路２１と、調整回路５０とに接続されている。起動／停止制御回路２０の電圧制御信号ポートから出力される電圧制御信号は、調整回路５０に入力される。調整回路５０の出力は、電源回路３０のＦｅｅｄ Ｂａｃｋポートに入力される。
【００１８】
図２を参照して、電源回路の起動フローを説明する。電源回路の起動順序は、電源回路３０−Ａ、電源回路３０−Ｂとする。図２において、起動／停止制御回路２０は、図示しない起動／制御回路の起動を受け付ける（Ｓ８）。起動／停止制御回路２０は、電源回路Ａの起動信号を生成し、電源回路３０−Ａに出力する（Ｓ９）。電源回路３０−Ａは、起動する（Ｓ１０）。電源回路３０−Ａは、電圧を出力する（Ｓ１１）。起動／停止制御回路２０は、電源回路３０−Ａの電圧を監視する（Ｓ１２）。起動／停止制御回路２０は、出力電圧がＯＫか判定する（Ｓ１３）。ＮＧのとき、起動／停止制御回路２０は、電源回路３０−Ａの停止処理を実行して（Ｓ１４）、終了する。
【００１９】
ステップ１３でＯＫのとき、起動／停止制御回路２０は、電源回路Ｂの起動信号を生成し、電源回路３０−Ｂに出力する（Ｓ１５）。電源回路３０−Ｂは、起動する（Ｓ１６）。電源回路３０−Ｂは、電圧を出力する（Ｓ１７）。起動／停止制御回路２０は、電源回路３０−Ｂの電圧を監視する（Ｓ１８）。起動／停止制御回路２０は、出力電圧がＯＫか判定する（Ｓ１９）。ＮＧのとき、起動／停止制御回路２０は、電源回路３０−Ａおよび電源回路３０−Ｂの停止処理を実行して（Ｓ２０）、終了する。（Ｓ２０）。ステップ１９でＯＫのとき、起動／停止制御回路２０は、起動制御を完了する。
【００２０】
図３を参照して、電源回路の停止フローを説明する。電源回路の停止順序は電源回路３０−Ａ、電源回路３０−Ｂの順序とする。図３において、デバイス１０は、デバイス停止処理を実行する（Ｓ２３）。デバイス１０は、Ｉ／Ｏと内部コアのデバイス機能を停止する（Ｓ２４）。デバイス１０は、機能停止状態となる（Ｓ２５）。デバイス１０は、停止信号を起動／停止制御回路２０に送出する（Ｓ２６）。
【００２１】
停止信号を受信した起動／停止制御回路２０は、停止シーケンスを開始する（Ｓ２７）。起動／停止制御回路２０は、電圧制御値Ａを設定する（Ｓ２８）。電源回路３０−Ａは、電圧制御値Ａを調整回路Ａに設定する（Ｓ２９）。電源回路３０−Ａは、Ｆｅｅｄ Ｂａｃｋ制御する（Ｓ３０）。起動／停止制御回路２０は、Ｆｅｅｄ Ｂａｃｋ制御した電源回路Ａの電圧を取得する（Ｓ３１）。起動／停止制御回路２０は、電圧が閾値ａ未満か判定する（Ｓ３２）。ＮＧのとき、起動／停止制御回路２０は、制御値を調整して、ステップ２８に戻る（Ｓ３３）。ステップ３２でＯＫのとき、起動／停止制御回路２０は、電源回路Ａに停止信号を送出する（Ｓ３４）。電源回路３０−Ａは、停止する（Ｓ３５）。起動／停止制御回路２０は、電圧制御を解除する（Ｓ３６）。以上で、起動／停止制御回路２０は、電源回路３０−Ａの停止を完了する（Ｓ３７）。
【００２２】
起動／停止制御回路２０は、電圧制御値Ｂを設定する（Ｓ３８）。電源回路３０−Ｂは、電圧制御値Ｂを調整回路Ｂに設定する（Ｓ３９）。電源回路３０−Ｂは、Ｆｅｅｄ Ｂａｃｋ制御する（Ｓ４０）。起動／停止制御回路２０は、Ｆｅｅｄ Ｂａｃｋ制御した電源回路Ｂの電圧を取得する（Ｓ４１）。起動／停止制御回路２０は、電圧が閾値ｂ未満か判定する（Ｓ４２）。ＮＧのとき、起動／停止制御回路２０は、制御値を調整して、ステップ３８に戻る（Ｓ４３）。ステップ４２でＯＫのとき、起動／停止制御回路２０は、電源回路Ｂに停止信号を送出する（Ｓ４４）。電源回路３０−Ｂは、停止する（Ｓ４５）。起動／停止制御回路２０は、電圧制御を解除する（Ｓ４６）。以上で、起動／停止制御回路２０は、電源回路３０−Ｂの停止を完了し（Ｓ４７）、終了する。
【００２３】
なお、停止シーケンスを始める時は、装置に具備する図示しないＯＦＦスイッチを用いて、停止信号の停止処理を行なうデバイス１０に対して送信する。デバイス１０は、予め内部に停止処理を行なうための処理フローを行なうプログラムを持ち、停止信号を受けた後に、停止制御開始を行なう。デバイス１０に停止処理を命令し、デバイス機能停止制御を行ない、内部制御、使用Ｉ／Ｏを停止させ、デバイス１０の機能を停止状態にする。機能停止状態に遷移させる事より、デバイス１０が信号の送受信に伴う負荷変動を無くし、負荷状態を一定として、デバイス１０を電源停止シーケンスに遷移させる。次に電源回路を停止させることにより、常に同じ条件での停止処理が可能となり、部品バラツキやデバイス条件の影響をなくすことができる。
【００２４】
デバイスの機能停止が整った後に、起動／停止制御回路２０に停止信号を送信し、起動／停止制御回路２０を用いて電源回路の制御を行なう。起動／停止制御回路２０は、停止信号を受けてから、電圧制御値Ａを調整回路Ａに信号を加える。
【００２５】
特許文献１では、電源回路を停止するのみであったため、負荷の状態により電圧の低下時間にバラツキを生じたが、ソース・シンク機能を持つ電源回路と調整回路５０−Ａによる出力電圧制御を行なうことで負荷に依存しない回路を実現する。
【００２６】
電源回路３０は、出力電圧をセンスした電圧を電源回路のフィードバックに戻して出力電圧を一定に保つように電源内部で制御を行なう。フィードバックの電圧が高くなると出力電圧が高くなったと判断して、電源回路内部において、出力電圧を下げる制御を行ない、反対に電圧が低くなると出力電圧を上げる制御を行なう。
【００２７】
本実施例で示す調整回路５０は、電源の制御方法を利用して、外部から出力電圧以外を電圧フィードバックに加えられる様にした回路である。この調整回路５０を用いる事により出力電圧を定格値の電圧よりも下げることができる。この調整回路５０へ調整信号を加え電源回路３０−ＡのＦｅｅｄ Ｂａｃｋポートに戻すことで、電源回路３０のＯＵＴＰＵＴの電圧を下げるように働かせる。この様に強制的に電圧を下げる事により、負荷の影響を受けず、周辺部品のバラツキの影響で停止シーケンス逆転することなく確実に停止シーケンスを実現する事ができる。
【実施例２】
【００２８】
図４を参照して、他の電源供給系統１００Ａを説明する。なお、ここでは、図１を参照して説明した電源供給系統１００との差分のみを説明する。図４において、電源回路３０には、入力電圧ＶＩＮが供給されている。デバイス１０において、ＩＮはデバイス停止制御ポートである。また、ＯＵＴは、電源停止信号ポートである。起動停止制御回路２０において、ＯＵＴは電源停止制御ポートである。電圧監視回路２１の出力ポートをＯＮ＿ＯＦＦと記載している。また、起動停止制御回路２０は、ＳＷＣＯＮＴポートと、ＶＣＣ＿Ｃ２３とをさらに備える。ＳＷＣＯＮＴポートは、調整回路５０のＳＷ５４を制御するポートである。ＶＣＣ＿Ｃ２３は、外部からのＶＩＮ＿Ｃ信号を受信する。
【００２９】
調整回路５０は、３本の抵抗Ｒと、ＳＷ５４と、フィルタ５５とで構成されている。Ｒ１とＲ２とは、直列に接続され、電源回路３０の出力電圧とアースとを接続する。Ｒ３と、ＳＷ５４と、フィルタ５５とは、直列に接続されている。調整回路５０は、ＳＷＣＯＮＴポートからの信号により、ＳＷ５４がＯＮとなると、起動／停止制御回路２０の電圧制御信号ポートと電源回路２０のＦｅｅｄ Ｂａｃｋポートとを接続する。ここで、フィルタ５５は、信号のノイズ除去・平滑化を行なう。ＳＷ５４は、ＯＦＦのとき、電源回路２０から見て調整回路２０をハイインピーダンスに保つ。Ｒ１〜Ｒ３は、電圧を分圧する。
【００３０】
図５を参照して、電源供給系統１００Ａにおいて、電源回路３０−Ａを先に立ち上げ、次に電源回路３０−Ｂを立ち上げる起動波形を説明する。なお、電源回路３０は、電流ソース（供給）・シンク（吸い込み）機能を持つ。
【００３１】
図５において、起動は、電源回路３０の入力と、起動／停止制御回路２０のＶＣＣ＿Ｃ２３へ、ＶＩＮ、ＶＩＮ＿Ｃがそれぞれ入力される。電源回路３０の動作は、連動する電源回路を選ばないように、また、誤動作がないように確実に０Ｖからの起動および０Ｖへ停止させるため、起動／停止制御回路２０を動作させて電源回路３０−Ａの起動／停止を制御する。起動時にＯＮ＿ＯＦＦ＿Ａから電源回路３０−Ａの起動／停止ポートに起動信号を送信する。電源回路３０−Ａは、起動信号を受けて、ＯＵＴＰＵＴポートから、デバイス１０の負荷回路１１−Ａに電圧を供給する。
【００３２】
また、ＯＵＴＰＵＴポートを起動／停止制御回路２０の電圧監視回路２１−Ａで電圧監視を行なう。予め設定した電圧閾値に到達した時、電圧監視回路２１−Ａは、出力電圧ＯＫと判定する。つぎに、起動／停止制御回路２０のＯＮ＿ＯＦＦ＿Ｂから電源回路３０−Ｂの起動／停止ポートに起動信号を送信する。電源回路３０−Ｂは、起動信号を受けて、ＯＵＴＰＵＴポートから、デバイス１０の負荷回路１１−Ｂに電圧を供給する。ＯＵＴＰＵＴポートを起動／停止制御回路２０の電圧監視回路２１−Ｂで電圧監視を行なう。予め設定した電圧閾値に到達した時、電圧監視回路２１−Ｂは、出力電圧ＯＫと判定し、起動制御終了とする。
【００３３】
図６を参照して、電源供給系統１００Ａにおいて、電源回路３０−Ａが正常ではない時の波形を説明する。図６において、電源回路３０−Ａの起動を起動／停止制御回路２０のＯＮ＿ＯＦＦ＿Ａ出力をＨｉｇｈとして、電源回路３０−Ａの起動を行なう。起動／停止制御回路２０は、起動信号を出力後、電源回路３０のＯＵＴＰＵＴポートを電圧監視回路２１−Ａにて電圧監視する。しかし、ここでは、ＯＵＴＰＵＴポートが図２に示す起動フローの電圧判定（Ｓ１３）時に予め設定した電圧を満足しないので、起動／停止制御回路２０は、ＯＮ＿ＯＦＦ＿Ａの信号を停止状態にし、電源回路３０−Ｂの起動制御は行なわず停止状態とする。起動／停止制御回路２０は、起動シーケンス違反によるデバイス１０へのダメージに対する保護を行なう。
【００３４】
図７を参照して、電源供給系統１００Ａにおいて、電源回路３０−Ａを先に停止し、次に電源回路３０−Ｂを停止する停止波形を説明する。なお、電源回路は、電流ソース（供給）・シンク（吸い込み）機能を持つ。
【００３５】
図７において、停止シーケンスを始める時は、デバイス１０を利用する装置に具備するＯＦＦスイッチを用いて、停止処理を行なうデバイス１０に対して送信する。デバイス１０は、予め内部に停止処理を行なうための処理フロー行なうプログラムを持つ。デバイス１０は、停止信号を受信したとき、停止制御を行なう。停止制御は、デバイス機能、Ｉ／Ｏを停止させ、デバイス１０を機能停止に遷移させる。これは、負荷回路１１−Ａ、負荷回路１１−Ｂについて、電源停止制御中にデバイス１０の負荷変動をなくして負荷を一定とするためである。負荷を一定とした後、デバイス１０を電源停止シーケンスに遷移させる。次に電源回路３０を停止させることにより、常に同じ条件での停止処理が可能となり、部品バラツキやデバイス条件の影響をなくすことができる。
【００３６】
機能停止状態に遷移後、デバイス１０は、起動／停止制御回路２０に停止信号を送信する。起動／停止制御回路２０は、停止信号を受信して、電源回路３０の電源停止制御を開始する。
【００３７】
まず、起動／停止制御回路２０は、電圧制御信号ポートＡから調整電圧（Ｖ＿ＣＯＮＴ＿Ａ）を送出する。同時に、起動／停止制御回路２０は、ＳＷＣＯＮＴポートＡの出力をＨｉｇｈとする。この結果、フィルタ５５−Ａを介してＳＷ５４−ＡがＯＮ制御され、調整回路５０−ＡのＲ３に電圧を印加する。
【００３８】
調整回路５０は、電源回路３０の出力電圧を外部から制御するための回路である。調整回路５０を用いる事により、電源回路３０の出力電圧を定格値の電圧よりも下げることが可能となる。通常状態では、電源回路３０−ＡのＯＵＴＰＵＴポートをＲ１、Ｒ２で分圧した電圧をＦｅｅｄ Ｂａｃｋに戻し、Ｆｅｅｄ Ｂａｃｋの電圧が一定になる様に電源回路３０−Ａ内部で調整している。一方、停止時はＲ３に電圧を印加し、出力電圧が、０．７Ｖ以下になる様に調整する。
【００３９】
このため、Ｆｅｅｄ Ｂａｃｋの電圧を強制的に高くする制御を行なう事で、電源回路３０−Ａ内では、出力電圧が高くなったと判断させて、出力電圧を下げる処理を行なう。この様に強制的に電圧を下げる事により、負荷の影響を受けず、周辺部品のバラツキの影響で停止シーケンス逆転することなく確実に停止シーケンスを実現する事ができる。
【００４０】
次にＯＵＴＰＵＴポートを起動／停止制御回路２０の電圧監視回路２１−Ａにおいて、電圧監視を行ない、目標値以下の電圧となった時、ＯＮ＿ＯＦＦ＿Ａから停止信号を送出して、電源回路３０−Ａの機能を停止させる。電源回路３０−Ａの機能停止後、起動／停止制御回路２０は、電圧制御信号Ａからの調整電圧の出力を停止する。また、起動／停止制御回路２０は、ＳＷ５４−ＡのＯＦＦ制御を行ない、定常動作時に設定電圧が異常とならない様に回路を切断する。
【００４１】
電源回路３０−Ａが停止後、電源回路３０−Ｂの停止制御を行なう。電源回路３０−Ｂの停止制御は、電源回路３０−Ａの停止制御方法と同じであり、ここでは、省略する。以上で、停止シーケンス制御を終了する。
電源回路３０−Ｂを先に立ち上げ、次に電源回路３０−Ａを立ち上げる場合、電源回路３０−Ｂを先に停止させ、次に電源回路３０−Ａを停止させる場合も同様の動作である。
【実施例３】
【００４２】
実施例１、実施例２では、電源種類が２種類の場合の電源シーケンス制御を示した。実施例３では、一つのデバイスがｎ個の電源回路を必要とする場合を説明する。図８において、電源供給系統１００Ｂは、ｎ個の電源回路と、ｎ個の調整回路と、起動／停止制御回路と、デバイス１０とで構成される。電源シーケンスを必要とするデバイス１０に対して、デバイス供給用の電源回路ｎ個、各電源回路３０の出力部に各々電圧調整回路５０と起動／停止制御回路２０で構成され、予め設定されたシーケンスにおいて、実施例１で説明したのと同様の手順で起動、停止シーケンスを実現する。
【００４３】
上述した実施例によれば、起動停止シーケンスを実現させ、デバイスの不定な負荷状態、部品バラツキによる停止時間への影響を受けることなく、起動／停止の電源シーケンスを守ることができるため、デバイス（負荷）へのダメージを防止できる。
【符号の説明】
【００４４】
１０…デバイス、１１…負荷回路、２０…起動／停止制御回路、２１…電圧監視回路、２３…ＶＣＣ＿Ｃ、３０…電源回路、５０…電圧調整回路、５４…ＳＷ（スイッチ）、１００…電源供給系統。
【図１】
2013128338.tif 000003
【図２】
2013128338.tif 000004
【図３】
2013128338.tif 000005
【図４】
2013128338.tif 000006
【図５】
2013128338.tif 000007
【図６】
2013128338.tif 000008
【図７】
2013128338.tif 000009
【図８】
2013128338.tif 000010